(57)【要約】【課題】４：４：４形式の７２０Ｐ信号を形成するディジタルデータについて、ＨＤ−ＳＤＩに準拠した１系統のビットシリアルデータを形成して、それを伝送すべく送出することにより、効率の良いシリアル伝送を行えるものとする。【解決手段】１０ビット／４：４：４形式の７２０Ｐ信号を形成するデータＤＶＸの各ライン期間分に含まれる映像データ部を、１０ビット／４：２：２形式のＨＤディジタル映像信号を形成するデータの各ライン期間分に含まれる映像データ部に相当する２系統の映像データ部データに変換し、それらの夫々に基づく新たなライン期間分データが連なって成る第１及び第２のワード列データを得、それらに多重化処理を施して１系統の多重ワード列データＤＰ（１０）を形成し、それに基づくシリアルデータＤＳを得て、それを送出する。【選択図】        図１
2004166059.tif 000002
【特許請求の範囲】
【請求項１】
フレームレートを２４Ｈｚ以上であって５０Ｈｚ以下とし、各フレームにおける有効ライン数が７２０ラインに、かつ、各ラインにおける有効データサンプル数が１２８０サンプルに設定され、量子化ビット数を１０ビットとする、緑色原色信号データ系列と青色原色信号データ系列と赤色原色信号データ系列とを含んで成るディジタル映像信号を形成するディジタルデータにおける各ライン期間分に含まれる映像データ部を、各フレームにおける有効ライン数が１０８０ラインに、かつ、各ラインにおける有効データサンプル数が１９２０サンプルに設定され、量子化ビット数を１０ビットとする、輝度信号データ系列と色差信号データ系列とを含んで成るディジタル映像信号を形成するディジタルデータにおける各ライン期間分に含まれる映像データ部に相当する、２系統の映像データ部データに変換するとともに、該２系統の映像データ部データの一方とタイミング基準コードデータとを含んだ新たなライン期間分データが連なって成る第１のワード列データと、上記２系統の映像データ部データの他方とタイミング基準コードデータとを含んだ新たなライン期間分データが連なって成る第２のワード列データとを得て、上記第１及び第２のワード列データに多重化処理を施して１系統の多重ワード列データを形成し、該多重ワード列データに基づくシリアルデータを得て、該シリアルデータを伝送すべく送出するデータ伝送方法。
【請求項２】
第１のワード列データ，第２のワード列データ及び多重ワード列データの夫々を、１０ビットワードが連なって成る１０ビットワード列データとなすことを特徴とする請求項１記載のデータ伝送方法。
【請求項３】
第１及び第２のワード列データの夫々における複数のライン期間分データの各々を、映像データ部とラインブランキング部とを有し、上記映像データ部に映像データ部データが配されるとともに、上記ラインブランキング部に、上記映像データ部の始端をあらわす第１のタイミング基準コードデータと先行ライン期間分データにおける映像データ部の終端をあらわす第２のタイミング基準コードデータとが配されるものとなすことを特徴とする請求項１記載のデータ伝送方法。
【請求項４】
２系統の映像データ部データ群を、緑色原色信号データ系列、青色原色信号データ系列及び赤色原色信号データ系列の各々についての１ラインあたり１２８０サンプルとされた７２０ライン分の１０ビットデータを、２系統の１ラインあたり１９２０サンプルとされた７２０ライン分の１０ビットデータに変換することにより得ることを特徴とする請求項１記載のデータ伝送方法。
【請求項５】
２系統の映像データ部データ群を、緑色原色信号データ系列，青色原色信号データ系列及び赤色原色信号データ系列の各々についての１ラインあたり１２８０サンプルとされた７２０ライン分の１０ビットデータを、２系統の１ラインあたり１２８０サンプルとされた１０８０ライン分の１０ビットデータに変換することにより得ることを特徴とする請求項１記載のデータ伝送方法。
【請求項６】
フレームレートを２４Ｈｚ以上であって５０Ｈｚ以下とし、各フレームにおける有効ライン数が７２０ラインに、かつ、各ラインにおける有効データサンプル数が１２８０サンプルに設定され、量子化ビット数を１０ビットとする、緑色原色信号データ系列と青色原色信号データ系列と赤色原色信号データ系列とを含んで成るディジタル映像信号を形成するディジタルデータにおける各ライン期間分に含まれる映像データ部を、各フレームにおける有効ライン数が１０８０ラインに、かつ、各ラインにおける有効データサンプル数が１９２０サンプルに設定され、量子化ビット数を１０ビットとする、輝度信号データ系列と色差信号データ系列とを含んで成るディジタル映像信号を形成するディジタルデータにおける各ライン期間分に含まれる映像データ部に相当する、２系統の映像データ部データに変換するとともに、該２系統の映像データ部データの一方とタイミング基準コードデータとを含んだ新たなライン期間分データが連なって成る第１のワード列データと、上記２系統の映像データ部データの他方とタイミング基準コードデータとを含んだ新たなライン期間分データが連なって成る第２のワード列データとを得て、上記第１及び第２のワード列データに多重化処理を施して１系統の多重ワード列データを形成するデータ処理部と、
該データ処理部から導出される多重ワード列データに基づくシリアルデータを得るパラレル／シリアル変換部と、
該パラレル／シリアル変換部から得られるシリアルデータを伝送すべく送出するデータ送出部と、
を備えて構成されるデータ伝送装置。
【請求項７】
データ送出部が、パラレル／シリアル変換部から得られるシリアルデータを光信号に変換する電光変換部と、該電光変換部から得られる光信号を光信号伝送路に導く光コネクタとを含んで構成されることを特徴とする請求項６記載のデータ伝送装置。
【発明の詳細な説明】
【０００１】
【発明の属する技術分野】
本願の特許請求の範囲に記載された発明は、特定のディジタル映像信号を構成する輝度信号データ系列及び色差信号データ系列、もしくは、緑色原色信号データ系列，青色原色信号データ系列及び赤色原色信号データ系列に基づいて１系統もしくは複数系統のワード列データを得るとともに、それらについてのシリアルデータへの変換を行い、その結果得られるシリアルデータを伝送すべく送出するデータ伝送方法、及び、斯かる方法が実施されるデータ伝送装置に関する。
【０００２】
【従来の技術】
映像信号の分野においては、伝達情報の多様化及び再生画像の高品質化を実現する観点等からのディジタル化が図られており、例えば、映像信号情報をあらわすディジタルデータによって形成されるディジタル映像信号を扱う高精細度テレビジョン（Ｈｉｇｈ  Ｄｅｆｉｎｉｔｉｏｎ  Ｔｅｌｅｖｉｓｉｏｎ  ：ＨＤＴＶ）システム等が提案されている。ＨＤＴＶシステムのもとにおけるディジタル映像信号（以下、ＨＤ信号という）は、例えば、ＢＴＡ（Ｂｒｏａｄｃａｓｔｉｎｇ  Ｔｅｃｈｎｏｌｏｇｙ  Ａｓｓｏｃｉａｔｉｏｎ  ：放送技術開発協議会）により制定された規格（非特許文献１参照。）に従って形成され、Ｙ，ＣＢ  ／ＣＲ  形式のものとＧ，Ｂ，Ｒ形式のものとがある。Ｙ，ＣＢ  ／ＣＲ  形式の場合、Ｙは輝度信号を意味し、ＣＢ  及びＣＲ  は色差信号を意味する。また、Ｇ，Ｂ，Ｒ形式の場合、Ｇ，Ｂ及びＲは夫々緑色原色信号，青色原色信号及び赤色原色信号を意味する。
【０００３】
このようなＨＤ信号は、例えば、フレームレートを３０Ｈｚとし、各フレームにおける全ライン数を１１２５ライン，フレームあたりの有効ライン数を１０８０ライン，各ラインにおける全データサンプル数を２２００サンプル、各ラインにおける映像データ部のデータサンプル数（ラインあたりの有効データサンプル数）を１９２０サンプルとし、サンプリング周波数を７４．２５ＭＨｚとするものされる。
【０００４】
そして、Ｙ，ＣＢ  ／ＣＲ  形式の場合、色差信号データ系列（ＣＢ  ／ＣＲ  データ系列）を成すＣＢ  データ系列及びＣＲ  データ系列の夫々のサンプリング周波数が、輝度信号データ系列（Ｙデータ系列）のサンプリング周波数の１／２とされる。以下おいては、必要に応じて、Ｙ，ＣＢ  ／ＣＲ  形式を４：２：２形式と表現する。また、Ｇ，Ｂ，Ｒ形式の場合、緑色原色信号データ系列（Ｇデータ系列），青色原色信号データ系列（Ｂデータ系列）及び赤色原色信号データ系列（Ｒデータ系列）の夫々のサンプリング周波数が同一とされる。以下おいては、必要に応じて、Ｇ，Ｂ，Ｒ形式を４：４：４形式と表現する。
【０００５】
４：２：２形式のＨＤ信号は、全ライン数を１１２５ラインとし有効ライン数を１０８０ラインとするフレームについてのフレームレートが、例えば、３０Ｈｚとされたもとで、各フレーム画像が第１フィールド画像と第２フィールド画像とに分けられて、フィールドレートを６０Ｈｚとする飛び越し走査用の信号とされ、図７に示される如くのデータフォーマットに従うものとされる。図７には、飛び越し走査用とされた４：２：２形式のＨＤ信号における１ライン期間分が示されている。
【０００６】
図７に示される如くのデータフォーマットは、映像信号における輝度信号情報をあらわすＹ信号データを含んだＹデータ系列と、映像信号における色差信号情報をあらわすＣＢ  ／ＣＲ  信号データを含んだＣＢ  ／ＣＲ  データ系列とから成る。斯かるＹデータ系列及びＣＢ  ／ＣＲ  データ系列の夫々は、量子化ビット数を１０ビットとし、従って、それを形成するワードデータの各々が１０ビット構成とされていて、パラレルデータインターフェースは１０ビット×２＝２０ビットであり、また、ワード伝送レートは、例えば、７４．２５ＭＢｐｓとされる。
【０００７】
Ｙデータ系列にあっては、全体で２２００サンプルの１ライン期間分が、ラインブランキング部とそれに連なる１９２０サンプルの映像データ部とで形成される。そして、各映像データ部の直前に、４ワードから成るタイミング基準コードデータ（ＳＡＶ：  Ｓｔａｒｔ  ｏｆ  Ａｃｔｉｖｅ  Ｖｉｄｅｏ  ）が配されるとともに、各映像データ部の直後に、４ワードから成るタイミング基準コードデータ（ＥＡＶ：  Ｅｎｄ  ｏｆ  Ａｃｔｉｖｅ  Ｖｉｄｅｏ  ）が配される。
【０００８】
同様にして、ＣＢ  ／ＣＲ  データ系列にあっても、各ライン分がラインブランキング部に映像データ部が連なって形成され、映像データ部の直前に、４ワードから成るタイミング基準コードデータＳＡＶが配されるとともに、映像データ部の直後に、４ワードから成るタイミング基準コードデータＥＡＶが配される。Ｙデータ系列中のタイミング基準コードデータＥＡＶ及びＳＡＶの夫々は、Ｙデータ系列における各ラインブランキング部に配され、また、ＣＢ  ／ＣＲ  データ系列中のタイミング基準コードデータＥＡＶ及びＳＡＶの夫々は、ＣＢ  ／ＣＲ  データ系列における各ラインブランキング部に配される。
【０００９】
Ｙデータ系列及びＣＢ  ／ＣＲ  データ系列の夫々のラインブランキング部におけるタイミング基準コードデータＥＡＶとタイミング基準コードデータＳＡＶとの間には、ライン番号データ，誤り検出信号データ、補助データ等が配される。
【００１０】
また、４：４：４形式のＨＤ信号も、全ライン数を１１２５ラインとし有効ライン数を１０８０ラインとするフレームについてのフレームレートが、例えば、３０Ｈｚとされたもとで、各フレーム画像が第１フィールド画像と第２フィールド画像とに分けられて、フィールドレートを６０Ｈｚとする飛び越し走査用の信号とされ、図８に示される如くのデータフォーマットに従うものとされる。図８には、飛び越し走査用とされた４：４：４形式のＨＤ信号における１ライン期間分が示されている。
【００１１】
図８に示される如くのデータフォーマットにあっては、映像信号における緑色原色信号情報をあらわすＧ信号データを含んだＧデータ系列と、映像信号における青色原色信号情報をあらわすＢ信号データを含んだＢデータ系列と、映像信号における赤色原色信号情報をあらわすＲ信号データを含んだＲデータ系列とから成る。斯かるＧデータ系列，Ｂデータ系列及びＲデータ系列の夫々も、量子化ビット数を１０ビットとし、従って、それを形成するワードデータの各々は、１０ビット構成とされていて、パラレルデータインターフェースは１０ビット×３＝３０ビットであり、また、ワード伝送レートは、例えば、７４．２５ＭＢｐｓとされる。
【００１２】
Ｇデータ系列，Ｂデータ系列及びＲデータ系列の夫々にあっては、全体で２２００サンプルの１ライン期間分が、ラインブランキング部とそれに連なる１９２０サンプルの映像データ部とで形成される。そして、各映像データ部の直前に、４ワードから成るタイミング基準コードデータＳＡＶが配されるとともに、各映像データ部の直後に、４ワードから成るタイミング基準コードデータＥＡＶが配される。Ｇデータ系列，Ｂデータ系列及びＲデータ系列の夫々におけるタイミング基準コードデータＥＡＶ及びＳＡＶの各々は、Ｇデータ系列，Ｂデータ系列及びＲデータ系列の夫々における各水平ブランキング部に配される。
【００１３】
現行のＨＤＴＶシステムにあっては、上述の如くのフレームレートが３０Ｈｚとされたもとでの飛び越し走査用とされた４：２：２形式もしくは４：４：４形式のＨＤ信号が用いられているが、これに対して、次世代のＨＤＴＶシステムとして、フレームレートが６０Ｈｚもしくは６０／１．００１Ｈｚ（本願においてはこれらのいずれをも６０Ｈｚという。）とされたもとで、各フレーム画像が第１及び第２フィールドに分けられることなく形成される順次走査用とされた、Ｙデータ系列とＣＢ  ／ＣＲ  データ系列とで成るＹ，ＣＢ  ／ＣＲ  形式（４：２：２形式）、もしくは、Ｇデータ系列とＢデータ系列とＲデータ系列とで成るＧ，Ｂ，Ｒ形式（４：４：４形式）のＨＤ信号を用いるシステムが提案されている。順次走査用とされた、４：２：２形式もしくは４：４：４形式のＨＤ信号は、プログレッシブ（Ｐｒｏｇｒｅｓｓｉｖｅ）方式のＨＤ信号と称される。以下、プログレッシブ方式のＨＤ信号を、プログレッシブＨＤ信号と呼ぶ。
【００１４】
フレームレートが６０ＨｚとされたプログレッシブＨＤ信号を成すディジタルデータは、米国のＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ：映画及びテレビジョン技術者協会）により制定された規格：ＳＭＰＴＥ  ２７４Ｍによる規格化（非特許文献２参照。）が図られたデータフォーマットに従うものとされる。
【００１５】
この  ＳＭＰＴＥ  ２７４Ｍ  に準拠したデータフォーマットにあっては、フレームレート：  ６０Ｈｚの他、各フレームにおける全ライン数：１１２５ライン，フレームあたりの有効ライン数：１０８０ライン，各ラインにおける全データサンプル数：２２００サンプル，ラインあたりの有効データサンプル数：１９２０サンプル，サンプリング周波数：１４８．５ＭＨｚもしくは１４８．５／１．００１ＭＨｚ（本願においては、これらのいずれをも１４８．５ＭＨｚという），量子化ビット数：８ビットもしくは１０ビット等々が決められている。そして、パラレルデータインターフェースは、４：２：２形式の場合、８ビット×２＝１６ビットもしくは１０ビット×２＝２０ビットであり、４：４：４形式の場合、８ビット×３＝２４ビットもしくは１０ビット×３＝３０ビットである。
【００１６】
また、こうしたプログレッシブＨＤ信号とは別に、フレームレートを２４Ｈｚもしくは２４／１．００１Ｈｚ（請求の範囲の記載を含めて本願においてはこれらのいずれをも２４Ｈｚという。），２５Ｈｚ，３０Ｈｚもしくは３０／１．００１Ｈｚ（請求の範囲の記載を含めて本願においてはこれらのいずれをも３０Ｈｚという。），５０Ｈｚもしくは６０Ｈｚとし、各フレームにおける有効ライン数が７２０ラインに設定され、また、各ラインにおける有効データサンプル数が１２８０サンプルに設定されたプログレッシブ方式のディジタル映像信号（本願においては、斯かるディジタル映像信号を７２０Ｐ信号と呼ぶ）も提案されている（非特許文献３参照。）。
【００１７】
このような７２０Ｐ信号を成すディジタルデータは、例えば、図９及び図１０に示される如くのデータフォーマットに従うものとされる。図９は、４：２：２形式の７２０Ｐ信号の一例における１ライン期間分を示し、さらに、図１０は、４：４：４形式の７２０Ｐ信号の一例における１ライン期間分を示す。
【００１８】
図９及び図１０に示される如くの７２０Ｐ信号を成すディジタルデータにあっては、ＳＭＰＴＥにより制定された規格：ＳＭＰＴＥ  ２９６Ｍ  によるフォーマットの規格化が図られている。斯かる  ＳＭＰＴＥ  ２９６Ｍ  により規格化されたフォーマットにあっては、フレームレート：  ２４Ｈｚ，２５Ｈｚ，３０Ｈｚ，５０Ｈｚもしくは６０Ｈｚ，  フレームあたりの有効ライン数：７２０ライン，ラインあたりの有効データサンプル数：１２８０サンプルのみならず、各フレームにおけるライン数：７５０ライン，各ラインにおけるデータサンプル数１６５０サンプル，サンプリング周波数：７４．２５ＭＨｚ，量子化ビット数：８ビットもしくは１０ビット等々が決められている。そして、パラレルデータインターフェースは、４：２：２形式の場合、８ビット×２＝１６ビットもしくは１０ビット×２＝２０ビットであり、４：４：４形式の場合、８ビット×３＝２４ビットもしくは１０ビット×３＝３０ビットである。
【００１９】
７２０Ｐ信号は、元来、ディジタル映像信号の分野におけるＨＤ信号への移行期において提案されたものである。そして、フレームあたりの有効ライン数及びラインあたりの有効データサンプル数が、ＨＤ信号が１０８０ライン及び１９２０サンプルであるのに対して、７２０ライン及び１２８０サンプルとされて、ＨＤ信号の場合の２／３であるので、それに基づいて再生される画像の解像度においてはＨＤ信号に比して劣るものの、フレームレートが６０Ｈｚである場合には、動きの速い画像をあらわす信号としての利用に適している。
【００２０】
上述の如くのＨＤ信号もしくは７２０Ｐ信号を形成するディジタルデータについては、その実用にあたり、伝送が不可欠とされる。そして、ＨＤ信号もしくは７２０Ｐ信号を形成するディジタルデータの伝送にあたっては、伝送路が簡略化されること等の利点が得られることからして、伝送されるべきデータがシリアルデータに変換されて伝送される、シリアル伝送が望まれることになる。しかしながら、現状のもとにあっては、量子化ビット数を８ビットもしくは１０ビットとする４：２：２形式のＨＤ信号もしくは７２０Ｐ信号を形成するディジタルデータについて、前述のＳＭＰＴＥにより制定された規格であるＳＭＰＴＥ  ２９２Ｍ（非特許文献４参照。）によるＨＤ−ＳＤＩを用いてシリアル伝送を行うことが規格化されているに過ぎない。
【００２１】
即ち、量子化ビット数を８ビットもしくは１０ビットとする４：２：２形式のＨＤディジタル映像信号もしくは７２０Ｐ信号を形成するディジタルデータとは異なる形式のディジタルデータである、４：４：４形式のＨＤディジタル映像信号もしくは７２０Ｐ信号を形成するディジタルデータについてのシリアル伝送については、規格化されていないのである。
【００２２】
量子化ビット数を８ビットもしくは１０ビットとする４：２：２形式のＨＤディジタル映像信号を形成するディジタルデータについてのＨＤ−ＳＤＩを用いてのシリアル伝送が行われるにあたっては、例えば、図７に示される如くの１ライン期間分が連なって成るディジタルデータのＹデータ系列とＣＢ  ／ＣＲ  データ系列とにおける各ワードが、ワード単位で交互に多重され、図１１に示される如くの１ライン期間分が連なって成る多重ワード列データが形成される。図１１に示される１ライン期間分は、全データサンプル数が２２００×２＝４４００サンプルとされ、ＣＢ  信号データワード，Ｙ信号データワード及びＣＲ  信号データワードが順次繰り返し配列されて成る映像データ部のデータサンプル数、即ち、ラインあたりの有効データサンプル数が１９２０×２＝３８４０サンプルとされ、量子化ビット数は１０ビットとされている。そして、斯かる多重ワード列データが、その各ワードに最下位ビット（ＬＳＢ）から最上位ビット（ＭＳＢ）まで順に所定の条件のもとで伝送用符号化が施されてビットシリアルデータが形成され、そのビットシリアルデータが送出される形をもって、シリアル伝送される。
【００２３】
また、量子化ビット数を８ビットもしくは１０ビットとする４：２：２形式の７２０Ｐ信号を形成するディジタルデータについてのＨＤ−ＳＤＩを用いてのシリアル伝送が行われるにあたっては、例えば、図９に示される如くの１ライン期間分が連なって成るディジタルデータのＹデータ系列とＣＢ  ／ＣＲ  データ系列とにおける各ワードが、ワード単位で交互に多重され、図１２に示される如くの１ライン期間分が連なって成る多重ワード列データが形成される。図１１に示される１ライン期間分は、全データサンプル数が１６５０×２＝３３００サンプルとされ、ＣＢ  信号データワード，Ｙ信号データワード及びＣＲ  信号データワードが順次繰り返し配列されて成る映像データ部のデータサンプル数、即ち、ラインあたりの有効データサンプル数が１２８０×２＝２５６０サンプルとされ、量子化ビット数は１０ビットとされている。そして、斯かる多重ワード列データが、その各ワードに最下位ビット（ＬＳＢ）から最上位ビット（ＭＳＢ）まで順に所定の条件のもとで伝送用符号化が施されてビットシリアルデータが形成され、そのビットシリアルデータが送出される形をもって、シリアル伝送される。
【００２４】
【非特許文献１】
放送技術開発協議会規格  ＢＴＡ  Ｓ−００２  １１２５／６０  高精細度テレビジョン方式スタジオディジタル映像規格（第５次案），１９９２年２月，放送技術開発協議会，Ｐ１〜３１
【非特許文献２】
ＳＭＰＴＥ  ＳＴＡＮＤＡＲＤ  ｆｏｒ  Ｔｅｌｅｖｉｓｉｏｎ  −  １９２０×１０８０  Ｓｃａｎｉｎｎｇ  ａｎｄ  Ａｎａｌｏｇａｎｄ  Ｐａｒａｌｌｅｌ  Ｄｉｇｉｔａｌ  Ｉｎｔｅｒｆａｃｅ  ｆｏｒ  Ｍｕｌｔｉｐｌｅ  Ｐｉｃｔｕｒｅ  Ｒａｔｅｓ（ＳＭＰＴＥ  ２７４−１９９８），ＴＨＥ  ＳＯＣＩＥＴＹ  ＯＦ  ＭＯＴＩＯＮ  ＰＩＣＴＵＲＥ  ＡＮＤ  ＴＥＬＥＶＩＳＩＯＮ  ＥＮＧＩＮＥＥＲＳ，  １９９８，    Ｐ１  〜２４
【非特許文献３】
ＳＭＰＴＥ  ＳＴＡＮＤＡＲＤ    ｆｏｒ  Ｔｅｌｅｖｉｓｉｏｎー１２８０×７２０  Ｐｒｏｇｒｅｓｓｉｖｅ  Ｉｍａｇｅ  Ｓａｍｐｌｅ  Ｓｔｒｕｃｔｕｒｅ−Ａｎａｌｏｇ  ａｎｄ  Ｄｉｇｉｔａｌ  Ｒｅｐｒｅｓｅｎｔａｔｉｏｎ  ａｎｄ  Ａｎａｌｏｇ  Ｉｎｔｅｒｆａｃｅ    （ＳＭＰＴＥ  ２９６Ｍ−２００１），  ＴＨＥ  ＳＯＣＩＥＴＹ  ＯＦ  ＭＯＴＩＯＮ  ＰＩＣＴＵＲＥ  ＡＮＤ  ＴＥＬＥＶＩＳＩＯＮ  ＥＮＧＩＮＥＥＲＳ，  ２００１，    Ｐ１  〜１４
【非特許文献４】
ＳＭＰＴＥ  ＳＴＡＮＤＡＲＤ    ｆｏｒ  ＴｅｌｅｖｉｓｉｏｎーＢｉｔ−Ｓｅｒｉａｌ  Ｄｉｇｉｔａｌ  Ｉｎｔｅｒｆａｃｅ  ｆｏｒ  Ｈｉｇｈ−Ｄｅｆｉｎｉｔｉｏｎ  Ｔｅｌｅｖｉｓｉｏｎ  Ｓｙｓｔｅｍｓ  （ＳＭＰＴＥ  ２９２Ｍ−１９９８），  ＴＨＥ  ＳＯＣＩＥＴＹ  ＯＦ  ＭＯＴＩＯＮ  ＰＩＣＴＵＲＥ  ＡＮＤ  ＴＥＬＥＶＩＳＩＯＮ  ＥＮＧＩＮＥＥＲＳ，  １９９８，    Ｐ１〜９
【００２５】
【発明が解決しようとする課題】
こうしたもとで、例えば、図８に示される如くの１ライン期間分が連なって成る４：４：４形式のＨＤディジタル映像信号を形成するディジタルデータ、もしくは、例えば、図１０に示される如くの１ライン期間分が連なって成る４：４：４形式７２０Ｐ信号を形成するディジタルデータについても、その伝送にあたっては、前述の如くにシリアル伝送が望まれる。そして、そのシリアル伝送が、ＨＤ−ＳＤＩを用いてのシリアル伝送とされることが、例えば、送受信回路を構成するにあたって、ＨＤ−ＳＤＩに準拠したデータ伝送システムに用いられる既存の集積回路ディバイス（ＩＣディバイス）を有効に利用できるという観点等から、強く要望されるところとなる。
【００２６】
特に、４：４：４形式の７２０Ｐ信号を形成するディジタルデータについては、各ライン期間分の映像データ部の信号量が、４：４：４形式のＨＤディジタル映像信号を形成するディジタルデータに比して少ないことからして、ＨＤ−ＳＤＩに準拠した一系統のビットシリアルデータとして、効率の良いシリアル伝送を行えるようにされることが求められる。
【００２７】
しかしながら、従来にあっては、４：４：４形式の７２０Ｐ信号を形成するディジタルデータについてのシリアル伝送を、ＨＤ−ＳＤＩに準拠した一系統のビットシリアルデータを形成して、それを送出するようにすることにより、効率良く行うことができるようにされた伝送システムの具体例は見当たらない。また、このような伝送システムに関する技術について記載された文献等も見出せない。
【００２８】
斯かる点に鑑み、本願の特許請求の範囲に記載された発明は、フレームレートを２４Ｈｚ以上であって５０Ｈｚ以下とし量子化ビット数を１０ビットとする、４：４：４形式の７２０Ｐ信号を形成するディジタルデータについて、例えば、フレームレートを６０Ｈｚとし量子化ビット数を１０ビットとする、４：２：２形式のＨＤディジタル映像信号を形成するディジタルデータの場合と同様に、ＨＤ−ＳＤＩに準拠した一系統のビットシリアルデータが形成されて、それが送出されるようにされることによる、効率の良いシリアル伝送を行うことができるデータ伝送方法、及び、それが実施されるデータ伝送装置を提供する。
【００２９】
【課題を解決するための手段】
本願の特許請求の範囲における請求項１から請求項５までのいずれかに記載された発明に係るデータ伝送方法は、フレームレートを２４Ｈｚ以上であって５０Ｈｚ以下とし量子化ビット数を１０ビットとする、４：４：４形式の７２０Ｐ信号を形成するディジタルデータにおける各ライン期間分に含まれる映像データ部を、例えば、量子化ビット数を１０ビットとする４：２：２形式のＨＤディジタル映像信号を形成するディジタルデータにおける各ライン期間分に含まれる映像データ部に相当する、２系統の映像データ部データに変換するとともに、斯かる２系統の映像データ部データの一方とタイミング基準コードデータとを含んだ新たなライン期間分データが連なって成る第１のワード列データと、上述の２系統の映像データ部データの他方とタイミング基準コードデータとを含んだ新たなライン期間分データが連なって成る第２のワード列データとを得て、第１及び第２のワード列データに多重化処理を施して１系統の多重ワード列データを形成し、それに基づくシリアルデータを得て、そのシリアルデータを伝送すべく送出するものとされる。
【００３０】
また、本願の特許請求の範囲における請求項６もしくは請求項７に記載された発明に係るデータ伝送装置は、フレームレートを２４Ｈｚ以上であって５０Ｈｚ以下とし量子化ビット数を１０ビットとする４：４：４形式の７２０Ｐ信号を形成するディジタルデータにおける各ライン期間分に含まれる映像データ部を、例えば、量子化ビット数を１０ビットとする４：２：２形式のＨＤディジタル映像信号を形成するディジタルデータにおける各ライン期間分に含まれる映像データ部に相当する、２系統の映像データ部データに変換するとともに、斯かる２系統の映像データ部データの一方とタイミング基準コードデータとを含んだ新たなライン期間分データが連なって成る第１のワード列データと、上述の２系統の映像データ部データの他方とタイミング基準コードデータとを含んだ新たなライン期間分データが連なって成る第２のワード列データとを得て、第１及び第２のワード列データに多重化処理を施して１系統の多重ワード列データを形成するデータ処理部と、データ処理部から導出される多重ワード列データに基づくシリアルデータを得るパラレル／シリアル変換部と、パラレル／シリアル変換部から得られるシリアルデータを伝送すべく送出するデータ送出部と、を備えて構成される。
【００３１】
上述の如くの本願の特許請求の範囲における請求項１から請求項５までのいずれかに記載された発明に係るデータ伝送方法、あるいは、請求項６もしくは請求項７に記載された発明に係るデータ伝送装置にあっては、フレームレートを２４Ｈｚ以上であって５０Ｈｚ以下とし量子化ビット数を１０ビットとする４：４：４形式の７２０Ｐ信号を形成するディジタルデータにおける各ライン期間分に含まれる映像データ部が、例えば、量子化ビット数を１０ビットとする４：２：２形式のＨＤディジタル映像信号を形成するディジタルデータにおける各ライン期間分に含まれる映像データ部に相当する、２系統の映像データ部データに変換され、それらに基づいて、各々が映像データ部データとタイミング基準コードデータとを含んだ新たなライン期間分データが連なって成る第１及び第２のワード列データが得られ、さらに、得られた第１及び第２のワード列データに多重化処理が施されて、１系統の多重ワード列データが形成される。そして、多重ワード列データに基づくシリアルデータが得られて、それが伝送されるべく送出される。
【００３２】
このことは、フレームレートを２４Ｈｚ以上であって５０Ｈｚ以下とし量子化ビット数を１０ビットとする４：４：４形式の７２０Ｐ信号を形成するディジタルデータが、それに基づいて前述のＨＤ−ＳＤＩに準拠した１系統のビットシリアルデータが形成され、それが送出されることにより、シリアル伝送されることに他ならない。
【００３３】
従って、本願の特許請求の範囲における請求項１から請求項５までのいずれかに記載された発明に係るデータ伝送方法、あるいは、請求項６もしくは請求項７に記載された発明に係るデータ伝送装置においては、フレームレートを２４Ｈｚ以上であって５０Ｈｚ以下とし量子化ビット数を１０ビットとする、４：４：４形式の７２０Ｐ信号を形成するディジタルデータについて、例えば、フレームレートを３０Ｈｚとし量子化ビット数を１０ビットとする、４：２：２形式のＨＤディジタル映像信号を形成するディジタルデータの場合と同様に、ＨＤ−ＳＤＩに準拠した１系統のビットシリアルデータが形成されて、それが送出されるようにされることによる、効率の良いシリアル伝送が行われることになる。
【００３４】
【発明の実施の形態】
図１は、本願の特許請求の範囲における請求項１から請求項５までのいずれかに記載された発明に係るデータ伝送方法の例が実施される、本願の特許請求の範囲における請求項６もしくは請求項７に記載された発明に係るデータ伝送装置の例を含んだデータ送受装置を示す。
【００３５】
図１に示されるデータ送受装置においては、本願の特許請求の範囲における請求項６もしくは請求項７に記載された発明に係るデータ伝送装置の例を構成する送信側において、ディジタル映像信号を成すディジタルデータＤＶＸがデータ処理部１１に供給される。
【００３６】
ディジタルデータＤＶＸは、図２にあらわされた７２０Ｐ信号を形成するディジタルデータについての一覧表において、データＤＴＡ〜ＤＴＤのいずれかとして示される、フレームレートを２４Ｈｚ，２５Ｈｚ，３０Ｈｚもしくは５０Ｈｚとし、各フレームにおける有効ライン数が７２０ラインに設定されるとともに、各ラインにおける映像データ部のデータサンプル数、即ち、ラインあたりの有効データサンプル数が１２８０サンプルに設定され、量子化ビット数を１０ビットとする、４：４：４形式のディジタル映像信号を成すディジタルデータであって、そのワード伝送レートを、例えば、７４．２５ＭＢｐｓとするものとされる。
【００３７】
データＤＴＡ〜ＤＴＤのいずれかとされるディジタルデータＤＶＸは、図１０に示される如くに、各々がワード伝送レートを７４．２５ＭＢｐｓとする１０ビットワード列データとされた、Ｇデータ系列，Ｂデータ系列及びＲデータ系列とが、フレーム同期及びライン同期がとられたもとでパラレル多重されて得られる、ワード伝送レートを７４．２５ＭＢｐｓとする３０ビットワード列データとして、データ処理部１１に供給される。
【００３８】
データ処理部１１にあっては、図１０に示される如くにして供給されるディジタルデータＤＶＸに、それに対する処理の一例として、各ライン期間分におけるＧデータ系列，Ｂデータ系列及びＲデータ系列の夫々における映像データ部を形成するワード、即ち、Ｇデータ系列におけるワードＧＤ０〜ＧＤ１２７９，Ｂデータ系列におけるワードＢＤ０〜ＢＤ１２７９及びＲデータ系列におけるワードＲＤ０〜ＲＤ１２７９を、２系統のデータ系列に順次振り分けて、図３に示される如くの、第１の映像データ部データＤＷＳ１及び第２の映像データ部データＤＷＳ２を形成する処理を施す。
【００３９】
第１の映像データ部データＤＷＳ１は、Ｇデータ系列，Ｂデータ系列及びＲデータ系列の夫々における映像データ部を形成するワードが、ワードＧＤ０，ＲＤＯ，ＢＤ１，ＧＤ２，ＲＤ２，ＢＤ３，ＧＤ４，・・・・・，ＲＤ１２７８，ＢＤ１２７９  というように順次配されて成る、データサンプル数を１９２０サンプルとするものとされる。また、第２の映像データ部データＤＷＳ２は、Ｇデータ系列，Ｂデータ系列及びＲデータ系列の夫々における映像データ部を形成するワードが、ワードＢＤ０，ＧＤ１，ＲＤ１，ＢＤ２，ＧＤ３，ＲＤ３，ＢＤ４，・・・・・，ＧＤ１２７９，ＲＤ１２７９  というように順次配されて成る、データサンプル数を１９２０サンプルとするものとされる。そして、このような第１の映像データ部データＤＷＳ１と第２の映像データ部データＤＷＳ２との組を１ライン分を形成するのものとして、ディジタルデータＤＶＸの各フィールド期間を成す７２０ライン分により、７２０ライン分の第１の映像データ部データＤＷＳ１と第２の映像データ部データＤＷＳ２との組が形成される。
【００４０】
即ち、この場合、ディジタルデータＤＶＸにおけるＧデータ系列，Ｂデータ系列及びＲデータ系列の３系統の夫々の映像データ部の各々についての、１ラインあたり１２８０サンプルとされた７２０ライン分（１フレーム分）の１０ビットデータが、第１の映像データ部データＤＷＳ１と第２の映像データ部データＤＷＳ２との２系統の、１ラインあたり１９２０サンプルとされた７２０ライン分の１０ビットデータに変換されることになる。斯かるデータ変換は、Ｇデータ系列，Ｂデータ系列及びＲデータ系列の３系統から成るディジタルデータＤＶＸにおける各ライン期間分に含まれる映像データ部が、各フレームにおける有効ライン数が１０８０ラインに設定されるとともに、各ラインにおける有効データサンプル数が１９２０サンプルに設定され、量子化ビット数を１０ビットとする４：２：２方式のＨＤディジタル映像信号を形成するディジタルデータにおける各ライン期間分に相当する、２系統の映像データ部データ、即ち、第１の映像データ部データＤＷＳ１と第２の映像データ部データＤＷＳ２とに変換されることになる。
【００４１】
続いて、データ処理部１１にあっては、第１の映像データ部データＤＷＳ１に基づき、その第１の映像データ部データＤＷＳ１と、例えば、タイミング基準コードデータＥＡＶ，ライン番号データ、誤り検出符号データ，補助データ，タイミング基準コードデータＳＡＶ等が配されたラインブランキング部とを含んだ、全データサンプル数を２２００サンプルとする第１のライン期間分データを形成し、斯かる第１のライン期間分データが連なって成る第１のワード列データを得る。また、それとともに、第２の映像データ部データＤＷＳ２に基づき、その第２の映像データ部データＤＷＳ２と、例えば、タイミング基準コードデータＥＡＶ，ライン番号データ，誤り検出符号データ，補助データ，タイミング基準コードデータＳＡＶ等が配されたラインブランキング部とを含んだ、全データサンプル数を２２００サンプルとする第２のライン期間分データを形成し、斯かる第２のライン期間分データが連なって成る第２のワード列データを得る。
【００４２】
さらに、データ処理部１１にあっては、第１のワード列データと第２のワード列データとに、それらを形成する各ワードを、ワード単位で交互に多重して、図４に示される如くの１ライン期間分が連なって成る多重ワード列データを形成し、さらに、それにフレームブランキング部を成す一連のブランキングラインデータを加えて、全ライン数を１１２５ラインとする各フレーム期間分を形成する、ＨＤ−ＳＤＩに準拠した処理を施す。上述のように形成される多重ワード列データの図４に示される１ライン期間分は、全データサンプル数が２２００×２＝４４００サンプルとされ、Ｇデータ系列，Ｂデータ系列及びＲデータ系列の夫々における映像データ部を形成するワードが順次配されて成る映像データ部のデータサンプル数、即ち、有効データサンプル数が１９２０×２＝３８４０サンプルとされ、ワード伝送レートが７４．２５ＭＢｐｓ×２＝１４８．５ＭＢｐｓとされる。そして、各フレーム期間分にあっては、このような１ライン期間分が７２０個連なるものとされる。
【００４３】
データ処理部１１は、このようにして得た、図４に示される如くの１ライン期間分が連なって成る多重ワード列データと一連のブランキングラインデータとを、１０ビットワード列データＤＰ（１０）として送出する。
【００４４】
また、データ処理部１１にあっては、図１０に示される如くにして供給されるディジタルデータＤＶＸに、それに対する処理の他の例として、上述の処理とは異なる処理も行い得るものとされる。斯かる他の例の処理を行う際にも、データ処理部１１は、ディジタルデータＤＶＸの各ライン期間分におけるＧデータ系列，Ｂデータ系列及びＲデータ系列の夫々における映像データ部を形成するワード、即ち、Ｇデータ系列におけるワードＧＤ０〜ＧＤ１２７９，Ｂデータ系列におけるワードＢＤ０〜ＢＤ１２７９及びＲデータ系列におけるワードＲＤ０〜ＲＤ１２７９を、２系統のデータ系列に順次振り分け、それにより、図５に示される如くの、第１の映像データ部データＤＷＳ１ａと第２の映像データ部データＤＷＳ２ａとの組，第１の映像データ部データＤＷＳ１ｂと第２の映像データ部データＤＷＳ２ｂとの組、及び、第１の映像データ部データＤＷＳ１ｃと第２の映像データ部データＤＷＳ２ｃとの組を形成する。
【００４５】
第１の映像データ部データＤＷＳ１ａは、Ｇデータ系列における映像データ部を形成するワードが、ワードＧＤ０，ＧＤ１，ＧＤ２，ＧＤ３，・・・・・，ＧＤ１２７８，ＧＤ１２７９  というように順次配されて成る、データサンプル数を１２８０サンプルとするものとされ、第２の映像データ部データＤＷＳ２ａは、Ｂデータ系列における映像データ部を形成するワードが、ワードＢＤ０，ＢＤ１，ＢＤ２，ＢＤ３，・・・・・，ＢＤ１２７８，ＢＤ１２７９  というように順次配されて成る、データサンプル数を１２８０サンプルとするものとされる。また、第１の映像データ部データＤＷＳ１ｂは、Ｒデータ系列における映像データ部を形成するワードが、ワードＲＤ０，ＲＤ１，ＲＤ２，ＲＤ３，・・・・・，ＲＤ１２７８，ＲＤ１２７９  というように順次配されて成る、データサンプル数を１２８０サンプルとするものとされ、第２の映像データ部データＤＷＳ２ｂは、Ｇデータ系列における映像データ部を形成するワードが、ワードＧＤ０，ＧＤ１，ＧＤ２，ＧＤ３，・・・・・，ＧＤ１２７８，ＧＤ１２７９  というように順次配されて成る、データサンプル数を１２８０サンプルとするものとされる。さらに、第１の映像データ部データＤＷＳ１ｃは、Ｂデータ系列における映像データ部を形成するワードが、ワードＢＤ０，ＢＤ１，ＢＤ２，ＢＤ３，・・・・・，ＢＤ１２７８，ＢＤ１２７９  というように順次配されて成る、データサンプル数を１２８０サンプルとするものとされ、第２の映像データ部データＤＷＳ２ｃは、Ｒデータ系列における映像データ部を形成するワードが、ワードＲＤ０，ＲＤ１，ＲＤ２，ＲＤ３，・・・・・，ＲＤ１２７８，ＲＤ１２７９  というように順次配されて成る、データサンプル数を１２８０サンプルとするものとされる。
【００４６】
そして、このような、第１の映像データ部データＤＷＳ１ａと第２の映像データ部データＤＷＳ２ａとの組，第１の映像データ部データＤＷＳ１ｂと第２の映像データ部データＤＷＳ２ｂとの組、及び、第１の映像データ部データＤＷＳ１ｃと第２の映像データ部データＤＷＳ２ｃとの組は、繰り返して形成されていき、各組を１ライン分を形成するのものとして、ディジタルデータＤＶＸの各フィールド期間を成す７２０ライン分により、１０８０ライン分の第１の映像データ部データＤＷＳ１ａと第２の映像データ部データＤＷＳ２ａとの組，第１の映像データ部データＤＷＳ１ｂと第２の映像データ部データＤＷＳ２ｂとの組、及び、第１の映像データ部データＤＷＳ１ｃと第２の映像データ部データＤＷＳ２ｃとの組が形成される。
【００４７】
即ち、この場合、ディジタルデータＤＶＸにおけるＧデータ系列，Ｂデータ系列及びＲデータ系列の３系統の夫々の映像データ部の各々についての、１ラインあたり１２８０サンプルとされた７２０ライン分（１フレーム分）の１０ビットデータが、第１の映像データ部データＤＷＳ１ａ，ＤＷＳ１ｂ及びＤＷＳ１ｃと第２の映像データ部データＤＷＳ２ａ，ＤＷＳ２ｂ及びＤＷＳ２ｃとの２系統の、１ラインあたり１２８０サンプルとされた１０８０ライン分の１０ビットデータに変換されることになる。斯かるデータ変換は、Ｇデータ系列，Ｂデータ系列及びＲデータ系列の３系統から成るディジタルデータＤＶＸにおける各ライン期間分に含まれる映像データ部が、各フレームにおける有効ライン数が１０８０ラインに設定されるとともに、各ラインにおける有効データサンプル数が１９２０サンプルに設定され、量子化ビット数を１０ビットとする４：２：２方式のＨＤディジタル映像信号を形成するディジタルデータにおける各ライン期間分に相当する、２系統の映像データ部データ、即ち、第１の映像データ部データＤＷＳ１ａ，ＤＷＳ１ｂ及びＤＷＳ１ｃと第２の映像データ部データＤＷＳ２ａ，ＤＷＳ２ｂ及びＤＷＳ２ｃとに変換されることになる。
【００４８】
続いて、データ処理部１１にあっては、第１の映像データ部データＤＷＳ１ａ，ＤＷＳ１ｂ及びＤＷＳ１ｃの夫々に基づき、その第１の映像データ部データＤＷＳ１ａ，ＤＷＳ１ｂもしくはＤＷＳ１ｃと、例えば、タイミング基準コードデータＥＡＶ，ライン番号データ、誤り検出符号データ，補助データ，タイミング基準コードデータＳＡＶ等が配されたラインブランキング部とを含んだ、全データサンプル数を２２００サンプルとする第１のライン期間分データを形成し、斯かる第１のライン期間分データが連なって成る第１のワード列データを得る。また、それとともに、第２の映像データ部データＤＷＳ２ａ，ＤＷＳ２ｂ及びＤＷＳ２ｃの夫々に基づき、その第２の映像データ部データＤＷＳ２ａ，ＤＷＳ２ｂもしくはＤＷＳ２ｃと、例えば、タイミング基準コードデータＥＡＶ，ライン番号データ、誤り検出符号データ，補助データ，タイミング基準コードデータＳＡＶ等が配されたラインブランキング部とを含んだ、全データサンプル数を２２００サンプルとする第２のライン期間分データを形成し、斯かる第２のライン期間分データが連なって成る第２のワード列データを得る。
【００４９】
さらに、データ処理部１１にあっては、斯かる第１のワード列データと第２のワード列データとに、それらを形成する各ワードを、ワード単位で交互に多重して、図６に示される如くの１ライン期間分が順次繰り返して連なって成る多重ワード列データを形成し、さらに、それにフレームブランキング部を成す一連のブランキングラインデータを加えて、全ライン数を１１２５ラインとする各フレーム期間分を形成する、ＨＤ−ＳＤＩに準拠した処理を施す。上述のように形成される多重ワード列データの図６に示される１ライン期間分の夫々は、全データサンプル数が２２００×２＝４４００サンプルとされ、Ｇデータ系列，Ｂデータ系列及びＲデータ系列の夫々における映像データ部を形成するワードが順次配されて成る映像データ部のデータサンプル数、即ち、有効データサンプル数が１２８０×２＝２５６０サンプルとされ、ワード伝送レートが７４．２５ＭＢｐｓ×２＝１４８．５ＭＢｐｓとされる。そして、各フレーム期間分にあっては、このような１ライン期間分が１０８０個連なるものとして形成される。
【００５０】
データ処理部１１は、このようにして得た、図６に示される如くの１ライン期間分が連なって成る多重ワード列データと一連のブランキングラインデータとを、１０ビットワード列データＤＰ（１０）として送出する。
【００５１】
データ処理部１１から送出されるワード伝送レートを１４８．５ＭＢｐｓとする１０ビットワード列データＤＰ（１０）は、データ挿入部１２に供給される。データ挿入部１２にあっては、１０ビットワード列データＤＰ（１０）に、必要に応じた補助データＤＡＡを挿入し、補助データＤＡＡが挿入された１０ビットワード列データＤＰ’（１０）を形成する。データ挿入部１２における１０ビットワード列データＤＰ（１０）に対する補助データＤＡＡの挿入は、１０ビットワード列データＤＰ（１０）の各ライン期間分におけるラインブランキング期間部に対してなされる。
【００５２】
データ挿入部１２から得られる１０ビットワード列データＤＰ’（１０）は、パラレル／シリアル（Ｐ／Ｓ）変換部１３に供給される。Ｐ／Ｓ変換部１３にあっては、１０ビットワード列データＤＰ’（１０）にＰ／Ｓ変換を施して、１０ビットワード列データＤＰ’（１０）に基づくビット伝送レートを１４８．５ＭＢｐｓ×１０＝１．４８５ＧｂｐｓとするシリアルデータＤＳを形成し、そのシリアルデータＤＳを電光変換部（Ｅ／Ｏ変換部）１４に供給する。
【００５３】
Ｅ／Ｏ変換部１４においては、シリアルデータＤＳに電光変換処理を施し、シリアルデータＤＳに基づく中心波長を、例えば、略１．３μｍとする光信号ＯＺを、ビット伝送レートを１．４８５Ｇｂｐｓとするものとして形成し、それを伝送信号として送出する。斯かるもとで、Ｅ／Ｏ変換部１４は、Ｐ／Ｓ変換部１３から得られるシリアルデータＤＳを伝送すべく送出するデータ送出部を形成している。
【００５４】
Ｅ／Ｏ変換部１４から送出される伝送信号である光信号ＯＺは、光コネクタ１５を通じて光ファイバー伝送路１６に導かれ、光ファイバー伝送路１６を通じて受信側へと伝送される。光ファイバー伝送路１６は、例えば、石英系シングルモードファイバー（石英系ＳＭＦ）が用いられて形成される。
【００５５】
受信側においては、光ファイバー伝送路１６を通じて伝送された光信号ＯＺが、光コネクタ１７を通じて光電変換部（Ｏ／Ｅ変換部）１８へと導かれる。Ｏ／Ｅ変換部１８にあっては、中心波長を略１．３μｍとする光信号ＯＺに光電変換処理を施して、ビット伝送レートを１．４８５Ｇｂｐｓとし、中心波長を略１．３μｍとする光信号ＯＺに基づく、ビット伝送レートを１．４８５ＧｂｐｓとするシリアルデータＤＳを再生する。そして、再生されたシリアルデータＤＳは、シリアル／パラレル（Ｓ／Ｐ）変換部１９に供給される。
【００５６】
Ｓ／Ｐ変換部１９にあっては、シリアルデータＤＳにＳ／Ｐ変換を施して、シリアルデータＤＳに基づく、ワード伝送レートを１４８．５ＭＢｐｓとする１０ビットワード列データＤＰ’（１０）を再生し、それをデータ分離部２０に供給する。データ分離部２０にあっては、１０ビットワード列データＤＰ’（１０）から、補助データＤＡＡが分離されて、１０ビットワード列データＤＰ（１０）と補助データＤＡＡとが個別に送出され、１０ビットワード列データＤＰ（１０）は、データ再生処理部２１に供給される。
【００５７】
データ再生処理部２１にあっては、１０ビットワード列データＤＰ（１０）に対して、送信部側におけるデータ処理部１１においてディジタルデータＤＶＸに対して施される処理とは逆の処理を施し、それによってディジタルデータＤＶＸを再生する。
【００５８】
このようにして、図１に示されるデータ送受装置によれば、フレームレートを２４Ｈｚ以上であって５０Ｈｚ以下とし量子化ビット数を１０ビットとする、４：４：４形式の７２０Ｐ信号を形成するディジタルデータについて、例えば、フレームレートを３０Ｈｚとし量子化ビット数を１０ビットとする、４：２：２形式のＨＤディジタル映像信号を形成するディジタルデータの場合と同様に、ＨＤ−ＳＤＩに準拠した１系統のビットシリアルデータが形成されて、それが送出されるようにされることによる、効率の良いシリアル伝送が行われることになる。
【００５９】
上述の例にあっては、データ伝送路が光ファイバー伝送路１６によって形成されているが、データ伝送路を、光ファイバー伝送路１６に代えて、他の形式の伝送路、例えば、同軸ケーブル伝送路とすることも、勿論可能である。その際には、図１に示されるＥ／Ｏ変換部１４、光コネクタ１５及び１７、Ｏ／Ｅ変換部１８等に代えて、同軸ケーブル伝送路用のデータ送出部、データ受信部等が用いられる。
【発明の効果】
以上の説明から明らかな如く、本願の特許請求の範囲における請求項１から請求項５までのいずれかに記載された発明に係るデータ伝送方法、あるいは、請求項６もしくは請求項７に記載された発明に係るデータ伝送装置にあっては、フレームレートを２４Ｈｚ以上であって５０Ｈｚ以下とし量子化ビット数を１０ビットとする４：４：４形式の７２０Ｐ信号を形成するディジタルデータにおける各ライン期間分に含まれる映像データ部が、例えば、量子化ビット数を１０ビットとする４：２：２形式のＨＤディジタル映像信号を形成するディジタルデータにおける各ライン期間分に含まれる映像データ部に相当する、２系統の映像データ部データに変換され、それらに基づいて、各々が映像データ部データとタイミング基準コードデータとを含んだ新たなライン期間分データが連なって成る第１及び第２のワード列データが得られ、さらに、得られた第１及び第２のワード列データに多重化処理が施されて、１系統の多重ワード列データが形成され、その多重ワード列データに基づくシリアルデータが得られて、それが伝送されるべく送出される。
【００６０】
このことは、フレームレートを２４Ｈｚ以上であって５０Ｈｚ以下とし量子化ビット数を１０ビットとする４：４：４形式の７２０Ｐ信号を形成するディジタルデータが、それに基づいて前述のＨＤ−ＳＤＩに準拠した１系統のビットシリアルデータが形成され、それが送出されることにより、シリアル伝送されることに他ならない。従って、本願の特許請求の範囲における請求項１から請求項５までのいずれかに記載された発明に係るデータ伝送方法、あるいは、請求項６もしくは請求項７に記載された発明に係るデータ伝送装置によれば、フレームレートを２４Ｈｚ以上であって５０Ｈｚ以下とし量子化ビット数を１０ビットとする、４：４：４形式の７２０Ｐ信号を形成するディジタルデータについて、例えば、フレームレートを３０Ｈｚとし量子化ビット数を１０ビットとする、４：２：２形式のＨＤディジタル映像信号を形成するディジタルデータの場合と同様に、ＨＤ−ＳＤＩに準拠した１系統のビットシリアルデータを形成して、それを伝送すべく送出することによる、効率の良いシリアル伝送を行うことができる。
【図面の簡単な説明】
【図１】本願の特許請求の範囲における請求項１から請求項５までのいずれかに記載された発明に係るデータ伝送方法の例が実施される、本願の特許請求の範囲における請求項６もしくは請求項７に記載された発明に係るデータ伝送装置の例を含んだデータ送受装置を示すブロック接続図である。
【図２】図１に示されるデータ送受装置におけるデータ処理部に供給されるディジタルデータの説明に供される表図である。
【図３】図１に示されるデータ送受装置におけるデータ処理部の動作説明に供されるデータをあらわす概念図である。
【図４】図１に示されるデータ送受装置におけるデータ処理部の動作説明に供されるデータをあらわす概念図である。
【図５】図１に示されるデータ送受装置におけるデータ処理部の動作説明に供されるデータをあらわす概念図である。
【図６】図１に示されるデータ送受装置におけるデータ処理部の動作説明に供されるデータをあらわす概念図である。
【図７】ＨＤディジタル映像信号を形成するディジタルデータのデータフォーマットの一例の説明に供される概念図である。
【図８】ＨＤディジタル映像信号を形成するディジタルデータのデータフォーマットの一例の説明に供される概念図である。
【図９】７２０Ｐ信号を形成するディジタルデータのデータフォーマットの一例の説明に供される概念図である。
【図１０】７２０Ｐ信号を形成するディジタルデータのデータフォーマットの一例の説明に供される概念図である。
【図１１】ＨＤディジタル映像信号を形成するディジタルデータに基づく多重ワード列データのデータフォーマットの一例の説明に供される概念図である。
【図１２】７２０Ｐ信号を形成するディジタルデータに基づく多重ワード列データのデータフォーマットの一例の説明に供される概念図である。
【符号の説明】
１１・・・データ処理部，  １２・・・データ挿入部，  １３・・・Ｐ／Ｓ変換部，  １４・・・Ｅ／Ｏ変換部，  １５，１７・・・光コネクタ，  １６・・・光ファイバー伝送路，  １８・・・Ｏ／Ｅ変換部，  １９・・・Ｓ／Ｐ変換部，  ２０・・・データ分離部，  ２１・・・データ再生処理部
【図１】
2004166059.tif 000003
【図２】
2004166059.tif 000004
【図３】
2004166059.tif 000005
【図４】
2004166059.tif 000006
【図５】
2004166059.tif 000007
【図６】
2004166059.tif 000008
【図７】
2004166059.tif 000009
【図８】
2004166059.tif 000010
【図９】
2004166059.tif 000011
【図１０】
2004166059.tif 000012
【図１１】
2004166059.tif 000013
【図１２】
2004166059.tif 000014